(57)【特許請求の範囲】
【請求項１】
連続抄紙法により抄紙された紙の片面に非吸液層を部分的に設け、該非吸液層設置面の反対面には非吸液層設置部に対応する部分以外の少なくとも一部に非吸液層を部分的に設け、揮散液体の吸液揮散時に、非吸液層と紙との伸張率の相違、もしくは該相違と紙の抄紙方向による伸張率の相違により反り及び／又はねじれの差を生じせしめるようにしたことを特徴とする揮散液体用揮散媒体。
【請求項２】
連続抄紙法により抄紙された紙の片面に、吸液により紙と異なる伸張率を有する吸液層を部分的に設け、該吸液層設置面の反対面には吸液層設置部に対応する部分以外の少なくとも一部に吸液層を部分的に設け、揮散液体の吸液揮散時に、吸液層と紙との伸張率の相違、もしくは該相違と紙の抄紙方向による伸張率の相違により反り及び／又はねじれの差を生じせしめるようにしたことを特徴とする揮散液体用揮散媒体。
【発明の詳細な説明】
【０００１】
【発明の属する技術分野】
本発明は、芳香剤、消臭剤等の揮散液体を、揮散するための、効率的かつ美的な揮散媒体に関する。さらに詳しくは、芳香剤等の揮散液体を収容した容器に、設置する揮散媒体であり、芳香剤等の揮散による室内の快適化のみならず、揮散媒体の動的変化により看者を魅了する揮散媒体に関する。
【０００２】
【従来技術】
従来芳香剤等の揮散液体を容器に収容し、該容器の口に揮散媒体を設置し、揮散媒体を通じて芳香剤等を徐徐に揮散せしめる装置が知られている。その多くは主として揮散液体を揮散拡散するのみで、視覚的に看者を魅了するようなものではなかった。しかし揮散媒体が動的であるものとしても若干の提案がある。例えば、特開昭５６−９６９０２号公報は、少なくとも１層がビニル性不飽和カルボン酸のヒドロキシ含有エステルの重合体であり、他の１層が揮発性芳香剤と相溶性の可溶化剤を含む２層以上の積層物からなる芳香剤含有造花を提案している。また実開昭６１−８０４８号公報は、芳香液体の吸液により伸張する層と伸張層とは異なる伸張率を有する付属層とからなる芳香液体用含侵体を提案している。
【０００３】
【発明が解決しようとする課題】
本発明は、上記従来技術に比し、より安価、かつ簡便に、さらには反りのみならずねじれをも生ぜしめることにより、高度な造形美を実現し、看者により一層の魅惑を与える揮散液体用揮散媒体を提供しようとするものである。
【０００４】
【課題を解決するための手段】
本発明は、連続抄紙法により抄紙された紙の片面に非吸液層を部分的に設け、該非吸液層設置面の反対面には非吸液層設置部に対応する部分以外の少なくとも一部に非吸液層を部分的に設け、揮散液体の吸液揮散時に、非吸液層と紙との伸張率の相違、もしくは該相違と紙の抄紙方向による伸張率の相違により反り及び／又はねじれの差を生じせしめるようにしたことを特徴とする揮散液体用揮散媒体を提供する。
本発明はさらに、連続抄紙法により抄紙された紙の片面に、吸液により紙と異なる伸張率を有する吸液層を部分的に設け、該吸液層設置面の反対面には吸液層設置部に対応する部分以外の少なくとも一部に吸液層を部分的に設け、揮散液体の吸液揮散時に、吸液層と紙との伸張率の相違、もしくは該相違と紙の抄紙方向による伸張率の相違により反り及び／又はねじれの差を生じせしめるようにしたことを特徴とする揮散液体用揮散媒体を提供する。
【０００５】
【発明の実施の形態】
本発明は揮散媒体の一部を構成する紙に、抄紙方向の異なるものを使用することにより、反りのみならず、ねじれをも生ぜしめることができるという特性を利用した揮散液体用揮散媒体である。連続抄紙機によって抄紙された紙は、抄紙方向に比較的繊維が配列することとなる。このため、抄紙方向における水又は湿度による紙の伸びは、抄紙方向横方向に比して小さいという特性を有する。抄紙方向と横方向との中間方向においては、伸びは抄紙方向と横方向との中間の伸びを示す。さらに中間方向すなわち斜め方向においては、上記した繊維配列の不均一さに基づいて、よじれを生じるという特性がある。本発明は、連続抄紙機により抄紙された紙の上記特性を活用した揮散液体用揮散媒体を提供する。
【０００６】
紙としては、連続抄紙機により抄紙された、すなわち抄紙方向を有する紙であればいずれの紙でも使用することができる。本発明はこのような紙の片面に非吸液層を部分的に設け、非吸液層設置面の反対面には非吸液層設置部に対応する部分以外に非吸液層を部分的に設け、紙と非吸液層との吸液による伸張率の相違により、揮散媒体に反り、よじれ等の変形を生ぜしめ、あるいは変形の度合いを制御することにより、造形美にあふれた、かつ高度の趣味性を満足せしめる揮散液体用揮散媒体を提供する。さらに本発明は、このような紙の片面に吸液層を部分的に設け、吸液層設置面の反対面には吸液層設置部に対応する部分以外に吸液層を部分的に設け、紙と吸液層との吸液による伸張率の相違により、揮散媒体に反り、よじれ等の変形を生ぜしめ、あるいは変形の度合いを制御することにより、造形美にあふれた、かつ高度の趣味性を満足せしめる揮散液体用揮散媒体を提供する。非吸液層あるいは吸液層は、印刷、塗装その他任意の方法を適宜選択採用することができる。
紙としては、反りあるいはよじれが生じたときに、その反りあるいはよじれを維持できるように適宜の厚さを有するものが好ましい。本発明は上記したように、種々の抄紙方向の紙および非吸液層あるいは吸液層を適宜組み合わせて使用することにより、種々の反り、よじれを有する造形美に優れた揮散液体用揮散媒体を提供することができる。さらには、非吸液層あるいは吸液層として印刷層を設けた場合には、印刷それ自体による装飾効果をもたせることもできる。以下本発明を図面に基づいて説明する。
【０００７】
図１は、紙１の両面に非吸液層２を等間隔に設けた揮散媒体３、及び揮散媒体が揮散液体を吸液したときの反り状態４を示す断面図である。図２は、紙１の両面に非吸液層２を不等間隔に設けた揮散媒体３、及び揮散媒体が揮散液体を吸液したときの反り状態４を示す断面図である。
図３は、短冊状紙１の端部側片面に非吸液層２を設け、他の面に非吸液層２を設けたときの反り状態４を示す。図４は、このような短冊状紙１を複数枚組み合わせて、揮散液体の吸液時に、花のような形状を呈する揮散媒体３を示す説明図である。図４において、記号５は吸液用芯を、記号６は揮散液体７の入った容器６を示す。図５は花弁状紙１の周縁部の紙面上部側に非吸液層２を設け、複数枚の花弁状紙１の接続部８にも紙面下部側に非吸液層２を設けた揮散媒体３を示す説明図である。容器内に挿入された吸液用芯（図示せず）から揮散液体が吸液すると、平面形状をしていた揮散媒体３は、接続部８が紙面上側に反り、かつ花弁状紙１の花弁部分が伸張し、この伸張は周縁部の非吸液層により抑えられているため、花弁は湾曲面もしくはしわを形成し、立体的な花状形状をした揮散媒体を形成する。
【０００８】
【発明の効果】
本発明によれば、紙の抄紙方向の相違に基づく反りあるいはよじれの発生、および紙の片面に吸液層もしくは非吸液層を設け、他の片面に吸液層もしくは非吸液層を設けることにより、より安価、かつ簡便に、さらには反りのみならずねじれをも生ぜしめることにより、高度な造形美を実現し、看者により一層の魅惑を与える揮散液体用揮散媒体が提供される。
【図面の簡単な説明】
【図１】本発明の非吸液層の設置による揮散媒体の反りの状態を示す説明図である。
【図２】本発明の非吸液層の設置による揮散媒体の反りの状態を示す説明図である。
【図３】本発明の非吸液層の設置による揮散媒体の反りの状態を示す説明図である。
【図４】本発明の揮散媒体により形成された立体状花弁を示す説明図である。
【図５】本発明の揮散媒体により形成された立体状花弁を示す説明図である。
【符号の説明】
１  紙
２  非吸液層
３  揮散媒体
４  揮散媒体により形成された反り
５  吸液用芯
６  容器
７  容器内の揮散液体
【図１】
0004368010.tif 000002
【図２】
0004368010.tif 000003
【図３】
0004368010.tif 000004
【図４】
0004368010.tif 000005
【図５】
0004368010.tif 000006